(57)【要約】      （修正有）【課題】振動に対する緩み止め効果の高い緩み止め機能付きナットの提供。【解決手段】ナット１と、ゼンマイバネ２と、ナット１を螺合するボルト６を有し底面にナット１を締め付ける方向に反発力を作用させる左巻きの棒状ゼンマイバネ２を収容する円形状窪み部３２を有する円盤状のバネカバー３と、バネカバー３の窪み部３２を塞ぐ円盤状の板体４と、を備え、バネカバー３は、ナット１の底面に固定され、板体４は、先端開口縁部をナット１の底部側ネジ穴開口縁部に固定された軸管に対し軸受穴４１を回転自在に装着して軸管の下端開口縁部に備えた拡径部で板体４の抜け落ちが阻止され、ゼンマイバネ２の中心側端部は板体側に固定され、外周側端部にはバネカバーと板体の対面方向に移動可能な係合ピンを備え、バネカバー３と板体４のそれぞれの対向する外周縁部に沿って係合ピン２１が係合する複数の係合穴４２が切り起こしにより形成されている。【選択図】図４
2020070910.tif 000002
【特許請求の範囲】
【請求項１】
ナットと、ゼンマイバネと、ナットを螺合するボルト挿通穴を有し底面にナットを締め付ける方向に反発力を作用させる左巻きの棒状ゼンマイバネを収容する円形状窪み部を有する円盤状のバネカバーと、中央にボルトの螺子部直径よりは大径の軸受穴を有しバネカバーの窪み部を塞ぐ円盤状の板体と、を主な構成として備え、
前記バネカバーは、ナットの底面に固定され、
前記板体は、先端開口縁部をナットの底部側ネジ穴開口縁部に固定された軸管に対し軸受穴を回転自在に装着し、軸管の下端開口縁部には板体の抜け落ちを阻止する拡径部を有し、
前記ゼンマイバネの中心側端部は板体側に固定され、外周側端部にはバネカバーと板体の対面方向に移動可能な係合ピンを備え、
前記バネカバーと板体のそれぞれの対向する外周縁部に沿って係合ピンが係合する複数の係合穴が切り起こしにより形成されていることを特徴とする緩み止め機能付きナット。
【発明の詳細な説明】
【技術分野】
【０００１】
本発明は、緩み止め機能付きナットに関する。
【背景技術】
【０００２】
従来の緩み止め機能付きナットとしては、特許文献１に記載のものがある。
この従来例は、ナットの固定部材側を筒状にし、その中に圧縮用コイルばねを内蔵することにより、コイルばねによる反発力でナットの緩みを防止するようにしたものである。
【先行技術文献】
【特許文献】
【０００３】
【特許文献１】特開平７−２０７７６６
【発明の概要】
【発明が解決しようとする課題】
【０００４】
しかしながら、従来例のナットは、コイルばねの圧縮による反発力をボルトの長手方向に作用させることにより、ナットの緩みを防止するようにしたものであるため、ナットが緩む回転方向の力に直接作用するものではなかった。
従って、振動に対するナットの緩み止め効果が極めて弱いという問題点があった。
【０００５】
本発明の解決しようとする課題は、振動に対する緩み止め効果の高い緩み止め機能付きナットを提供することにある。
【課題を解決するための手段】
【０００６】
上記課題を解決するため請求項１記載の緩み止め機能付きナットは、ナットと、ゼンマイバネと、ナットを螺合するボルト挿通穴を有し底面にナットを締め付ける方向に反発力を作用させる左巻きの棒状ゼンマイバネを収容する円形状窪み部を有する円盤状のバネカバーと、中央にボルトの螺子部直径よりは大径の軸受穴を有しバネカバーの窪み部を塞ぐ円盤状の板体と、を主な構成として備え、
前記バネカバーは、ナットの底面に固定され、
前記板体は、先端開口縁部をナットの底部側ネジ穴開口縁部に固定された軸管に対し軸受穴を回転自在に装着し、軸管の下端開口縁部には板体の抜け落ちを阻止する拡径部を有し、
前記ゼンマイバネの中心側端部は板体側に固定され、外周側端部にはバネカバーと板体の対面方向に移動可能な係合ピンを備え、
前記バネカバーと板体のそれぞれの対向する外周縁部に沿って係合ピンが係合する複数の係合穴が切り起こしにより形成されていることを特徴とする手段とした。
【発明の効果】
【０００７】
請求項１記載の緩み止め機能付きナットでは、上述のように構成されるため、係合ピンをバネカバー側の係合穴に差し込むことでゼンマイバネの外周側端部をバネカバー側に固定し、ナットをバネカバーと共に反時計方向（ナットを緩める方向）に回転させることで、ゼンマイバネが巻き締められる。
そこで、バネカバー側の係合穴の切り起こし片を係合穴内に押し込んで係合穴に係合している係合ピンを板体側の係合穴に係合させることで、ゼンマイバネが巻き締められた状態に固定される。
以上でゼンマイバネの巻き締め固定が完了する。
【０００８】
この緩み止め機能付きナットを使用するときは、板材等に挿通したボルトに本案ナットをねじ込んで締め付けていくと、板体が板材に強く押し付けられることで、板体が板材に固定される、と同時に、板体側の係合穴の切り起こし片が係合穴内に押し込められて、係合穴に係合した係合ピンがバネカバー側の係合穴内に係合することで、ゼンマイバネの巻き締めによる時計方向の反発力がナットを締め付ける方向に作用した状態になる。
【０００９】
以上のように、バネカバーとバネカバーに対し回転自在な板体との間にナットを締め付ける方向に反発力を作用させる左巻きの棒状ゼンマイバネを収容したことで、強い振動等に対しても、ナットの緩みを阻止できるため、ナットの緩み止め効果が極めて高いという効果が得られる。
また、係合穴を切り起こしにより形成したことで、バネカバーの係合穴の切り起こし片を係合穴内に打ち込むことにより、係合穴内に係合した係合ピンを板体側の係合穴内に簡単に移動させることができる。また、ナットを締め込むだけで、板材に当接した切り起こし片が係合穴内に押し込まれて係合ピンをバネカバー側の係合穴内に移動させることができる。
【図面の簡単な説明】
【００１０】
【図１】実施例１の緩み止め機能付きナットを示す平面図である。
【図２】実施例１の緩み止め機能付きナットを示す正面図である。
【図３】実施例１の緩み止め機能付きナットを示す底面図である。
【図４】図１のＢ−Ｂ線における縦断正面図である。
【図５】バネカバーを示す底面図である。
【図６】ゼンマイバネの中心側端部を板体に固定した状態を示す平面図である。
【図７】軸管を示す斜視図である。
【図８】板体の係合穴内にピンが係合した状態を示す要部拡大断面図である。
【図９】バネカバーの係合穴内にピンが係合した状態を示す要部拡大断面図である。
【発明を実施するための形態】
【００１１】
以下にこの発明の実施例を図面に基づいて説明する。
【実施例１】
【００１２】
まず、この実施例１の緩み止め機能付きナットを図面に基づいて説明する。
この緩み止め機能付きナットＡは、図１〜５に示すように、ナット１と、坊城のゼンマイバネ２と、ナット１を螺合するボルト挿通穴３１を有し底面にナット１を締め付ける方向に反発力を作用させる左巻きの棒状のゼンマイバネ２を収容する円形状窪み部３２を有する円盤状のバネカバー３と、中央にボルト１の螺子部直径よりは大径の軸受穴４１を有しバネカバー３の窪み部３２を塞ぐ円盤状の板体４と、を主な構成として備えている。
前記バネカバー３は、ナット１の底面に固定されている。
また、前記板体４は、先端開口縁部をナット１の底部側ネジ穴開口縁部に固定された軸管５に対し軸受穴４１を回転自在に装着し、これにより、軸管５の下端開口縁部に備えた拡径部５１で板体４の抜け落ちが阻止されている。
【００１３】
また、前記棒状のゼンマイバネ２の中心側端部は板体４の上面中央部に備えた固定プレート４３に固定され、外周側端部にはバネカバー３と板体４の対面方向に移動可能な係合ピン２１を備え、前記バネカバー３と板体４のそれぞれの対向する外周縁部に沿って係合ピン２１が係合する複数の係合穴３３、４２が内側への切り起こしにより、切り起こし片３３ａ、４２ａを残して形成されている。
【００１４】
そこで、図９に示すように、係合ピン２１をバネカバー３側の係合穴３３に差し込んだ状態で板体４を固定台等に固定し、ナット１をバネカバー３と共に反時計方向（ナット１を緩める方向）に回転させることで、棒状のゼンマイバネ２が巻き締められる。
次に、図８に示すように、バネカバー３側の係合穴３３の切り起こし片３３ａを係合穴３３内に押し込んで係合穴３３に係合している係合ピン２１を板体４側の係合穴４２に係合させることで、棒状のゼンマイバネ２が巻き締められた状態に固定された状態になる。
【００１５】
なお、板体４には、固定台等に回転を阻止した状態で固定するための２つ以上の係合穴４４が形成されている。
また、バネカバー３における係合穴３３の裏面側には、円周状に案内溝３４が形成されている。
なお、この実施例１では、バネカバー３と板体４を合成樹脂で構成することで、切り起こし片３３ａ、４２ａの開閉動作がスムーズに行えるようにしている。
【００１６】
次に、この実施例１の作用・効果を説明する。
この実施例１の緩み止め機能付きナットＡでは、上述のように構成されるため、この緩み止め機能付きナットＡを使用するときは、締結固定する板材７等に挿通したボルト６に本案緩み止め機能付きナットＡをねじ込んで締め付けていくと、板体４が板材７に強く押し付けられることで、板体４が板材７に固定される、と同時に、板体４側の係合穴４２の切り起こし片４２ａが係合穴４２内に押し込められて、係合穴４２に係合した係合ピン４２ａがバネカバー３側の係合穴３３内に係合することで、棒状のゼンマイバネ２の巻き締めによる時計方向の反発力がナット１を締め付ける方向に作用した状態になる。
【００１７】
以上のように、バネカバー３とバネカバー３に対し回転自在な板体２との間にナット１を締め付ける方向に反発力を作用させる左巻きの棒状のゼンマイバネ３を収容したことで、強い振動等に対しても、ナット１の緩みを阻止できるため、ナット１の緩み止め効果が極めて高いという効果が得られる。
【００１８】
また、係合穴３３、４２を切り起こしにより形成したことで、バネカバー３の係合穴３３の切り起こし片３３ａを係合穴３３内に打ち込むことにより、係合穴３３内に係合した係合ピン２１を板体４側の係合穴４２内に簡単に移動させることができる。また、ナット１を締め込むだけで、板材７に当接した切り起こし片４２ａが係合穴４２内に押し込まれて係合ピン２１をバネカバー３側の係合穴３３内に移動させることができる。
【００１９】
また、バネカバー３における係合穴３３の裏面側には、円周状に案内溝３４が形成されることで、係合ピン２１の移動を案内すると共に、切り起こし片３３ａ、４２ａの厚みを薄くし、これにより係合穴３３、４２の開閉動作をスムーズに行うことができる。
また、バネカバー３と板体４を合成樹脂で構成することで、切り起こし片３３ａ、４２ａの開閉動作がスムーズに行えるようにしている。
【００２０】
以上本実施例を説明してきたが、本発明は上述の実施例に限られるものではなく、本発明の要旨を逸脱しない範囲の設計変更等があっても、本発明に含まれる。
【００２１】
例えば、実施例では、ゼンマイバネとして棒状のバネを例にとって説明したが、板状のバネであってもよく、その巻き数も任意である。
また、バネカバー３と板体４を合成樹脂で構成したが、その他金属等で形成することができる。
【符号の説明】
【００２２】
Ａ  緩み止め機能付きナット
１  ナット
２  ゼンマイバネ
２１  係合ピン
３  バネカバー
３１  ボルト挿通穴
３２  窪み部
３３  係合穴
３３ａ  切り起こし片
３４  案内溝
４  板体
４１  軸受穴
４２  係合穴
４２ａ  切り起こし片
４３  固定プレート
４４  係合穴
５  軸管
５１  拡径部
６  ボルト
７  板材
【図１】
2020070910.tif 000003
【図２】
2020070910.tif 000004
【図３】
2020070910.tif 000005
【図４】
2020070910.tif 000006
【図５】
2020070910.tif 000007
【図６】
2020070910.tif 000008
【図７】
2020070910.tif 000009
【図８】
2020070910.tif 000010
【図９】
2020070910.tif 000011
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
ナットと、ゼンマイバネと、ナットに螺合するボルトを挿通するボルト挿通穴を有し底面にナットを締め付ける方向に反発力を作用させる左巻きの棒状ゼンマイバネを収容する円形状窪み部を有する円盤状のバネカバーと、中央にボルトの螺子部直径よりは大径の軸受穴を有しバネカバーの窪み部を塞ぐ円盤状の板体と、を主な構成として備え、  前記バネカバーは、ナットの底面に固定され、  前記板体は、先端開口縁部をナットの底部側ネジ穴開口縁部に固定された軸管に対し軸受穴を回転自在に装着し、軸管の下端開口縁部には板体の抜け落ちを阻止する拡径部を有し、  前記ゼンマイバネの中心側端部は板体側に固定され、外周側端部にはバネカバーと板体の対面方向に移動可能な係合ピンを備え、  前記バネカバーと板体のそれぞれの対向する外周縁部に沿って係合ピンが係合する複数の係合穴が切り起こしにより形成されていることを特徴とする緩み止め機能付きナット。
【手続補正２】
【補正対象書類名】明細書
【補正対象項目名】０００６
【補正方法】変更
【補正の内容】
【０００６】  上記課題を解決するため請求項１記載の緩み止め機能付きナットは、ナットと、ゼンマイバネと、ナットに螺合するボルトを挿通するボルト挿通穴を有し底面にナットを締め付ける方向に反発力を作用させる左巻きの棒状ゼンマイバネを収容する円形状窪み部を有する円盤状のバネカバーと、中央にボルトの螺子部直径よりは大径の軸受穴を有しバネカバーの窪み部を塞ぐ円盤状の板体と、を主な構成として備え、  前記バネカバーは、ナットの底面に固定され、  前記板体は、先端開口縁部をナットの底部側ネジ穴開口縁部に固定された軸管に対し軸受穴を回転自在に装着し、軸管の下端開口縁部には板体の抜け落ちを阻止する拡径部を有し、  前記ゼンマイバネの中心側端部は板体側に固定され、外周側端部にはバネカバーと板体の対面方向に移動可能な係合ピンを備え、  前記バネカバーと板体のそれぞれの対向する外周縁部に沿って係合ピンが係合する複数の係合穴が切り起こしにより形成されていることを特徴とする手段とした。
【手続補正３】
【補正対象書類名】明細書
【補正対象項目名】００１２
【補正方法】変更
【補正の内容】
【００１２】  まず、この実施例１の緩み止め機能付きナットを図面に基づいて説明する。  この緩み止め機能付きナットＡは、図１〜５に示すように、ナット１と、坊城のゼンマイバネ２と、ナット１に螺合するボルト６を挿通するボルト挿通穴３１を有し底面にナット１を締め付ける方向に反発力を作用させる左巻きの棒状のゼンマイバネ２を収容する円形状窪み部３２を有する円盤状のバネカバー３と、中央にボルト１の螺子部直径よりは大径の軸受穴４１を有しバネカバー３の窪み部３２を塞ぐ円盤状の板体４と、を主な構成として備えている。  前記バネカバー３は、ナット１の底面に固定されている。  また、前記板体４は、先端開口縁部をナット１の底部側ネジ穴開口縁部に固定された軸管５に対し軸受穴４１を回転自在に装着し、これにより、軸管５の下端開口縁部に備えた拡径部５１で板体４の抜け落ちが阻止されている。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
ナットと、ゼンマイバネと、ナットに螺合するボルトを挿通するボルト挿通穴を有し底面にナットを締め付ける方向に反発力を作用させる左巻きの棒状ゼンマイバネを収容する円形状窪み部を有する円盤状のバネカバーと、中央にボルトの螺子部直径よりは大径の軸受穴を有しバネカバーの窪み部を塞ぐ円盤状の板体と、を主な構成として備え、
前記バネカバーは、ナットの底面に固定され、
前記板体は、先端開口縁部をナットの底部側ネジ穴開口縁部に固定された軸管に対し軸受穴を回転自在に装着し、軸管の下端開口縁部には板体の抜け落ちを阻止する拡径部を有し、
前記ゼンマイバネの中心側端部は板体側に固定され、外周側端部にはバネカバーと板体の対面方向に移動可能な係合ピンを備え、
前記バネカバーと板体のそれぞれの対向する外周縁部に沿って係合ピンが係合する複数の係合穴が切り起こしにより形成されていることを特徴とする緩み止め機能付きナット。
【手続補正２】
【補正対象書類名】明細書
【補正対象項目名】０００６
【補正方法】変更
【補正の内容】
【０００６】
上記課題を解決するため請求項１記載の緩み止め機能付きナットは、ナットと、ゼンマイバネと、ナットに螺合するボルトを挿通するボルト挿通穴を有し底面にナットを締め付ける方向に反発力を作用させる左巻きの棒状ゼンマイバネを収容する円形状窪み部を有する円盤状のバネカバーと、中央にボルトの螺子部直径よりは大径の軸受穴を有しバネカバーの窪み部を塞ぐ円盤状の板体と、を主な構成として備え、
前記バネカバーは、ナットの底面に固定され、
前記板体は、先端開口縁部をナットの底部側ネジ穴開口縁部に固定された軸管に対し軸受穴を回転自在に装着し、軸管の下端開口縁部には板体の抜け落ちを阻止する拡径部を有し、
前記ゼンマイバネの中心側端部は板体側に固定され、外周側端部にはバネカバーと板体の対面方向に移動可能な係合ピンを備え、
前記バネカバーと板体のそれぞれの対向する外周縁部に沿って係合ピンが係合する複数の係合穴が切り起こしにより形成されていることを特徴とする手段とした。
【手続補正３】
【補正対象書類名】明細書
【補正対象項目名】００１２
【補正方法】変更
【補正の内容】
【００１２】
まず、この実施例１の緩み止め機能付きナットを図面に基づいて説明する。
この緩み止め機能付きナットＡは、図１〜５に示すように、ナット１と、坊城のゼンマイバネ２と、ナット１に螺合するボルト６を挿通するボルト挿通穴３１を有し底面にナット１を締め付ける方向に反発力を作用させる左巻きの棒状のゼンマイバネ２を収容する円形状窪み部３２を有する円盤状のバネカバー３と、中央にボルト１の螺子部直径よりは大径の軸受穴４１を有しバネカバー３の窪み部３２を塞ぐ円盤状の板体４と、を主な構成として備えている。
前記バネカバー３は、ナット１の底面に固定されている。
また、前記板体４は、先端開口縁部をナット１の底部側ネジ穴開口縁部に固定された軸管５に対し軸受穴４１を回転自在に装着し、これにより、軸管５の下端開口縁部に備えた拡径部５１で板体４の抜け落ちが阻止されている。